(57)【要約】【課題】ユーザが使用状況に合わせて操作メニューを表示できるようにするとともに、余分な操作、表示を少なくして、操作性を向上させることを目的とする。【解決手段】電子機器の操作可能な機能の操作メニューを表示画面に表示する表示装置であって、操作メニューを構成するメニュー項目及び各メニュー項目に属する設定項目毎の操作履歴を記憶する記憶部と、この記憶部に記憶された操作履歴に基づいてメニュー項目及び各メニュー項目に属する設定項目毎の表示優先度を計算する優先度計算部と、表示優先度の高いメニュー項目及び該メニュー項目に属する設定項目のみを集めたメニュー項目をお気に入りメニューとして作成し、お気に入りメニューを操作メニューとして表示画面に表示させる制御部とを有する構成とする。【選択図】図１０
2007214690.tif 000002
【特許請求の範囲】
【請求項１】
電子機器の操作可能な機能の操作メニューを表示画面に表示する表示装置であって、
前記操作メニューを構成するメニュー項目及び各メニュー項目に属する設定項目毎の操作履歴を記憶する記憶部と、
前記記憶部に記憶された前記操作履歴に基づいてメニュー項目及び各メニュー項目に属する設定項目毎の表示優先度を計算する優先度計算部と、
前記表示優先度の高いメニュー項目及び該メニュー項目に属する設定項目のみを集めたメニュー項目をお気に入りメニューとして作成し、前記お気に入りメニューを前記操作メニューとして前記表示画面に表示させる制御部と
を有することを特徴とする表示装置。
【請求項２】
前記制御部は、外部から操作された前記操作メニュー呼び出し指令に応じて前記お気に入りメニューを前記表示画面に第１に表示する
ことを特徴とする請求項１に記載の表示装置。
【請求項３】
前記制御部は、前記お気に入りメニューの表示部分を起点として前記メニュー項目を表示優先度順に一方向に表示するとともに、前記お気に入りメニューを構成するメニュー項目に関し同一メニュー項目に複数の設定項目がある場合、当該メニュー項目の表示部分を起点として各設定項目を前記メニュー項目の一方向と異なる方向に表示優先度順に表示する
ことを特徴とする請求項１に記載の表示装置。
【請求項４】
前記優先度計算部は、前記操作履歴に基づくメニュー項目及び各メニュー項目に属する設定項目毎の使用頻度を計算して前記記憶部に記憶し、
前記制御部は、前記お気に入りメニューを構成するメニュー項目及び各メニュー項目に属する設定項目を、前記表示優先度順として前記使用頻度に基づいて表示する
ことを特徴とする請求項３に記載の表示装置。
【請求項５】
前記優先度計算部は、特定の操作に関する一連のメニュー項目及び設定項目からなる操作手順を前記記憶部に記憶し、該記憶しておいた前記特定の操作が選択された場合、
前記制御部は、前記お気に入りメニューを構成するメニュー項目及び各メニュー項目に属する設定項目を、前記表示優先度順として前記操作手順に基づいて表示する
ことを特徴とする請求項３に記載の表示装置。
【請求項６】
前記優先度計算部は、前記電子機器の使用時間帯とそのとき使用したメニュー項目及び設定項目を前記記憶部に記憶しておき、該記憶しておいた前記使用時間帯と同じ時間帯に前記電子機器が使用される場合、
前記制御部は、前記お気に入りメニューを構成するメニュー項目及び各メニュー項目に属する設定項目を、前記表示優先度順として前記使用時間帯に基づいて表示する
ことを特徴とする請求項３に記載の表示装置。
【請求項７】
前記表示装置に表示された操作メニューの中から所望のメニュー項目及び設定項目を選択する指示を入力する操作部を有する
ことを特徴とする請求項１に記載の表示装置。
【請求項８】
電子機器の操作可能な機能の操作メニューを表示画面に表示する表示方法であって、
前記操作メニューを構成するメニュー項目及び各メニュー項目に属する設定項目毎の操作履歴を記憶する過程と、
前記操作履歴に基づいてメニュー項目及び各メニュー項目に属する設定項目毎の表示優先度を計算する過程と、
前記表示優先度の高いメニュー項目及び該メニュー項目に属する設定項目のみを集めたメニュー項目をお気に入りメニューとして作成する過程と、
前記お気に入りメニューを前記操作メニューとして前記表示画面に表示する過程と
を有することを特徴とする表示方法。
【発明の詳細な説明】
【技術分野】
【０００１】
本発明は、表示装置及び表示方法に関し、特に表示装置を搭載したデジタルスチルカメラなどにおいて、ユーザが使用しやすいように画面に表示される撮影条件等の操作メニューの優先表示順序又は表示内容を変化させる表示装置及び表示方法に係わる。
【背景技術】
【０００２】
従来のデジタルスチルカメラ（以下、単に「カメラ」とする）は、撮影条件等の操作メニューを選択することができ、例えばカメラモード、ホワイトバランス、画質、ＥＶ（Exposure Value）、フォーカス、測光モード、ＩＳＯ、撮影モードなどを指定することができる。メニュー画面はカメラに搭載された表示装置に表示され、撮影者は所定の操作部を操作してメニュー画面上の所望のメニュー項目にカーソルを移動させて、項目の選択を行う。
【０００３】
従来のカメラにおけるメニュー画面はメニュー項目が画一化されており、所定の固定された配列順で表示されるものであった。そのメニュー表示の一例を図１１に示す。図１１では設定項目の例として「撮影サイズ」が選択されている場合が示されている。図１１左図では、デフォルト（初期設定）において「７Ｍ」が選択されている。例えば撮像サイズを「７Ｍ」，「ＶＧＡ」しか使用しないユーザの場合、このメニュー表示だと図１１右図に示す「ＶＧＡ」に切り替えるためには４回操作部を操作する必要がある。
【０００４】
そこで、最近ではメニュー画面の使い勝手が良くなるように、任意の条件、例えば被写体周囲の撮影環境に基づいて該撮影環境に適合したメニュー項目を表示するようにした撮影処理装置及び撮影モード選択方法が提案されている（例えば、特許文献１を参照）。
【０００５】
【特許文献１】特開２００５−１３０１８４号公報
【発明の開示】
【発明が解決しようとする課題】
【０００６】
ところで、カメラは、各ユーザがそれぞれ異なる使い方をするため、人によって頻繁に使用する機能や設定などが相違する。例えば特許文献１に記載のものは、撮影環境に適合したメニュー項目を表示するものであるが、そこに表示されたメニュー項目の中でもユーザにより選択される項目は異なる。
【０００７】
従来のカメラでは、メニュー画面の表示形態が画一的、あるいは単に撮影環境に適合しないメニュー項目を排除して残りのメニュー項目を表示するようにしていたため、機能選択や設定変更などの操作性に関して、ユーザが頻繁に使用するメニューが選択しづらく、使い勝手がよくないという問題があった。
【０００８】
本発明は斯かる点に鑑みてなされたものであり、ユーザが自分のよく使用する操作メニューを表示できるようにするとともに、余分な操作、表示を少なくして、操作性を向上させることを目的とする。
【課題を解決するための手段】
【０００９】
上記課題を解決するため、本発明の表示装置の一側面は、電子機器の操作可能な機能の操作メニューを表示画面に表示する表示装置であって、前記操作メニューを構成するメニュー項目及び各メニュー項目に属する設定項目毎の操作履歴を記憶する記憶部と、前記記憶部に記憶された前記操作履歴に基づいてメニュー項目及び各メニュー項目に属する設定項目毎の表示優先度を計算する優先度計算部と、前記表示優先度の高いメニュー項目及び該メニュー項目に属する設定項目のみを集めたメニュー項目をお気に入りメニューとして作成し、前記お気に入りメニューを前記操作メニューとして前記表示画面に表示させる制御部とを有することを特徴とする。
【００１０】
上記構成によれば、ユーザの操作方法を記録することで機器一台ごとにお気に入りメニューを作成することにより、ユーザ好みの操作感覚を備えた操作メニューを提供することができる。
【００１１】
また本発明の表示装置の他の側面は、前記制御部は、外部から操作された前記操作メニュー呼び出し指令に応じて前記お気に入りメニューを前記表示画面に第１に表示することを特徴とする。
【００１２】
上記構成によれば、即座にユーザの操作感覚に適合したお気に入りメニューの表示が可能になる。
【００１３】
また本発明の表示装置の他の側面は、前記制御部は、前記お気に入りメニューの表示部分を起点として前記メニュー項目を表示優先度順に一方向に表示するとともに、前記お気に入りメニューを構成するメニュー項目に関し同一メニュー項目に複数の設定項目がある場合、当該メニュー項目の表示部分を起点として各設定項目を前記メニュー項目の一方向と異なる方向に表示優先度順に表示することを特徴とする。
【００１４】
上記構成によれば、お気に入りメニューを作成することで、普段使用するメニュー項目をまとめることができるので、更に余分な操作、表示をすることがなくなる。
【発明の効果】
【００１５】
本発明によれば、ユーザが使用状況に合わせて自分好みのお気に入りの操作メニューを表示することができようになり、また余分な操作、表示が少なくなり、操作性を向上させることができる。
【発明を実施するための最良の形態】
【００１６】
以下、本発明の表示装置の一実施形態としてデジタルスチルカメラ（以下、「カメラ」という）に適用した例について、図１〜図１０を参照して説明する。
【００１７】
図１は、本発明の一実施形態に係る表示装置が適用されたカメラのブロック構成例を示す図である。図１に示すように、本例は、撮像レンズ１、ＣＣＤ（Charge Coupled Devices）２、Ａ／Ｄコンバータ３、信号処理部４、エンコーダ／デコーダ５、メモリコントローラ６、第１のフラッシュメモリ７、ＭＰＵ（Processing Unit）８、ＳＤＲＡＭ（Synchronous DRAM）９、ＲＯＭ（Read Only Memory）１０、第２のフラッシュメモリ１１、操作キー１２、ＬＣＤ（Liquid Crystal Display）１３からカメラ１５を構成する。
【００１８】
上記撮像レンズ１は、例えば光を取り込むレンズ、絞り用レンズ及びフォーカス用レンズなどから構成され、取り込んだ光をＣＣＤ２へ送る。ＣＣＤ２は、撮像素子の一例であり、撮像レンズ１より取り込まれた光を電気信号に変換し、Ａ／Ｄコンバータ３へ出力する。
【００１９】
Ａ／Ｄコンバータ３は、電気信号を量子化するアナログ／デジタル変換器である。ここでアナログ／デジタル変換を行い、変換後の信号を信号処理部４へ送る。信号処理部４は、撮像された画像又は再生された画像を信号処理し、エンコーダ／デコーダ５及びＬＣＤ１３へ送る。
【００２０】
エンコーダ／デコーダ５は、信号処理部４から入力された画像を符号化及び復号化する。メモリコントローラ６は、エンコーダ／デコーダ５から入力される符号化された画像データをフラッシュメモリ７に記憶又はフラッシュメモリ７に記憶されている画像データを読み出す。
【００２１】
フラッシュメモリ７は、メモリコントローラ６から入力される画像データを記憶する、不揮発性メモリである。
【００２２】
ＭＰＵ８は、演算処理装置の一例のマイクロコンピュータであり、カメラ１５の各ブロックを制御するとともに、優先度計算部及び制御部としても機能する。ＭＰＵ８は、ＬＣＤ１３に表示される操作メニューを構成するメニュー項目及び各メニュー項目に属する設定項目毎の操作履歴をフラッシュメモリ１１に記憶する。またＭＰＵ８はフラッシュメモリ１１に記憶されたこの操作履歴に基づいてメニュー項目及び各メニュー項目に属する設定項目毎の表示優先度を計算し、表示優先度の高いメニュー項目及び該メニュー項目に属する設定項目のみを集めたメニュー項目をお気に入りメニューとして作成する。そして、お気に入りメニューを操作メニューとしてＬＣＤ１３の表示画面に表示させる。
【００２３】
さらにＭＰＵ８は操作履歴からメニュー項目及び各メニュー項目に属する設定項目毎の使用頻度、特定の操作に関する一連のメニュー項目及び設定項目からなる操作手順、並びにカメラ１５が使用された使用時間帯とそのとき使用されたメニュー項目及び設定項目をそれぞれ計算し、フラッシュメモリ１１に保存する機能も有する。
【００２４】
ＳＤＲＡＭ９はメインメモリとしてＭＰＵ８のプログラム実行に必要な情報を記憶し、またＲＯＭ１０は不揮発性メモリであって、ＭＰＵ８の処理アルゴリズムであるプログラムを記憶する。ＭＰＵ８がＳＤＲＡＭ９をワークエリアとしてＲＯＭ１０に記録されているプログラムを読み出し、実行することにより本発明の表示方法が実現される。
【００２５】
フラッシュメモリ１１はユーザ操作情報を記憶する不揮発性メモリであり、記憶部として機能する。この中に、後述する操作メニューを構成するメニュー項目及び各メニュー項目に属する設定項目毎のそれぞれの操作履歴を記憶する。また、フラッシュメモリ１１は、操作履歴に基づくメニュー項目及び各メニュー項目に属する設定項目毎の使用頻度、特定の操作に関する一連のメニュー項目及び設定項目からなる操作手順、並びにカメラ１５が使用された使用時間帯とそのとき使用されたメニュー項目及び設定項目を保存する。
【００２６】
操作キー１２は、ユーザがＬＣＤ１３に表示された操作メニューの中から所望のメニュー項目及び設定項目を選択する指示を入力し、カメラ１５を操作するための操作部である。シャッターキーの他、操作メニューから所望のメニュー項目又は選択項目を選択するためのメニューボタンやＧＵＩ（Graphical User Interface）から構成される。
【００２７】
そして、ＬＣＤ１３はカメラ１５に設けられた液晶表示装置であり、画像を表示する表示装置の一例である。なお、表示装置は液晶表示装置に限るものではなく、その他種々の表示装置が適用可能である。
【００２８】
ＭＰＵ８には操作キー１２の電源キーの押下検出信号が割り込み要因として接続されており、ＭＰＵ８の節電状態であるスリープ（低電力消費設定）中でもウェイクアップ（起動）できる。
【００２９】
なお、図１に示したカメラの構成は一例であって、この例に限るものではない。
【００３０】
次に、図１を用いてカメラ１５の電源オン状態での基本動作の概要を説明する。
まず、カメラ１５で画像を記録する場合は、撮像レンズ１から入光した被写体の像をＣＣＤ２で電気信号に変換し、Ａ／Ｄコンバータ３でデジタル変換して信号処理部４で所定の信号処理をする。信号処理した撮像画像はビデオ信号化し、ＬＣＤ１３に画像が表示される。また操作キー１２のシャッターキーの押下を検出すると撮像画像をエンコーダ／デコーダ５で符号化し、メモリコントローラ６によりフラッシュメモリ７にその画像を記録する。
【００３１】
撮像するに当り撮像設定操作が行われた場合、その設定情報をフラッシュメモリ１１に記録する。ここで、設定情報記録処理のフローチャートを図２に示す。図２において、まずＭＰＵ８は設定内容の変更があるか否かを判定し、変更があると判断した場合はステップＳ２へ移行し、変更がないと判断した場合は設定情報記録処理を終了する（ステップＳ１）。ステップＳ１の判断処理において設定内容の変更があったと判断された場合、フラッシュメモリ１１に変更項目（操作項目）と日時を対応づけて記録する（ステップＳ２）。
【００３２】
一方、本例のカメラ１５で画像を再生する場合は、メモリコントローラ６によりフラッシュメモリ７から符号化された画像を読み出し、エンコーダ／デコーダ５で復号化する。復号化した再生画像は信号処理部４でビデオ信号化し、ＬＣＤ１３に画像が表示される。
【００３３】
再生するに当り操作が行われた場合、その情報をフラッシュメモリ１１に記録する。ここで、再生処理を示すフローチャートを図３に示す。まずＭＰＵ８はフラッシュメモリ１１に記録されている内容を読み込む（ステップＳ１１）。次に既存のメニューに対して変更箇所があるか否かを判定し、変更箇所がある場合はステップＳ１３へ移行し、変更箇所がない場合は、ステップＳ１５へ移行する（ステップ１２）。続いて、ステップＳ１２の判断処理にて変更箇所があると判断された場合、変更条件（回数、手順、日時など）を満たしているか否かを判断し、変更条件を満たしている場合、ステップＳ１４へ移行し、変更条件を満たしていない場合にはステップＳ１５に移行する（ステップＳ１３）。
【００３４】
ステップＳ１３の判断処理において変更条件を満たしている場合、ＬＣＤ１３に表示されるメニュー項目及び設定項目の順番が変化し（ステップＳ１４）、一連の処理を終了する。
【００３５】
またステップＳ１２の判断処理において変更箇所がないと判断された場合、及びステップＳ１３の判断処理において変更条件を満たしていないと判断された場合、ＬＣＤ１３に表示されるメニュー項目及び設定項目の順番は既存のままとし（ステップＳ１５）、一連の処理を終了する。
【００３６】
次に、操作メニューの一例について説明する。
図４は撮影時の操作メニューの一例を示したものである。メニュー項目（設定メニュー）２１〜２８はカメラ１５のメニューボタン（図示略）を押すことにより、ＬＣＤ１３に図４に示すようなメニュー項目２１，２２，２３，・・・，２８の並びで表示される。メニュー項目２１を選択時は、その下の設定項目（サブメニュー）「オート」，「プログラム」・・・が表示される。他のメニュー項目２２〜２８も同様である。
【００３７】
なお、図４の例では、メニュー項目２１，２２，２３，２４，２５，２６，２７，２８はそれぞれ、「カメラモード」，「ＥＶ（Exposure Value）」，「フォーカス」，「測光モード」，「ホワイトバランス」，「ＩＳＯ」，「画質」，「撮影モード」である。
【００３８】
実際のカメラ１５の操作メニューの表示例を図５（ａ）〜（ｄ）に示す。
図５において、（ａ）はカメラモード、（ｂ）はＥＶ、（ｃ）はＩＳＯ、（ｄ）は画質が選択された場合の表示例である。カメラ１５のメニューボタン（図示略）を押すことで、表示画面の横方向にメニュー項目が、縦方向にはその設定項目が表示される。
【００３９】
例えば、図５（ａ）においては、画面下側のメニュー項目欄でカメラモード３１が選択され、カメラモードのアイコン３２が表示される。このアイコン３２からこの表示部分を起点として設定項目が一方向に、この例では上方向に表示されている。このように選択項目が下部から上部へ向かって表示される方式をプルアップメニューという。現状のカメラモードはカーソル３３が「虫メガネ」欄にあり、虫めがねモードであることを意味している。なお、上スクロールボタン３４を押下することにより、設定項目の表示が上方にスクロールされて「夜景＋人」の上に隠れている設定項目を表示することができる。
【００４０】
図５（ａ）の状態から操作キー１２で右操作することにより、メニュー項目がＥＶ４１へ移り、図５（ｂ）が表示される。この図５（ｂ）の状態は、メニュー項目としてＥＶ４１が選択され、ＥＶのアイコン４２からこの表示部分を起点として設定項目が上方向に表示されている。図５（ｂ）はカーソル４３が「０ＥＶ」欄にあり、設定項目は「０ＥＶ」が選択されている状態である。上スクロールボタン４４又は下スクロールボタン４５を押下することにより、設定項目の表示が上方又は下方にスクロールされる。
【００４１】
図５（ｂ）の状態からさらに操作キー１２で右操作していくと、メニュー項目がＩＳＯ５１へ移り、図５（ｃ）が表示される。この図５（ｃ）の状態は、メニュー項目としてＩＳＯ５１が選択され、ＩＳＯのアイコン５２からこの表示部分を起点として設定項目が上方向に表示されている。図５（ｃ）はカーソル５３が「オート」欄にあり、設定項目は「オート」が選択されている状態である。なお、右スクロールボタン５４を押下することにより、メニュー項目の表示が右方にスクロールされて表示しきれずに右側に隠れているメニュー項目を表示することができる。
【００４２】
図５（ｃ）の状態からさらに操作キー１２で右スクロールボタン５４を右操作すると、メニュー項目がページ送りされ、図５（ｄ）のようになる。この図５（ｄ）の状態は、メニュー項目として画質６１が選択され、画質６２からこの表示部分を起点として設定項目が上方向に表示されている。図５（ｄ）はカーソル６３が「ファイン」欄にあり、設定項目は「ファイン」が選択されている状態である。なお、左スクロールボタン６４を押下することにより、メニュー項目が左方にページ送りされる。
【００４３】
図６は、メニュー項目をカメラモード３１に固定し、その設定項目を変更しようとしたときの表示例である。図６において、（ａ）は設定項目にオート、（ｂ）は夜景、（ｃ）は夜景＋人、（ｄ）は花火、が選択され場合の表示例である。操作キー１２で上操作することで図６（ａ）から図６（ｂ）の状態になり、再度上操作するとカーソル３３がスクロールして図６（ｃ）の状態になる。さらに上操作を続けることで図６（ｄ）の状態に移行する。
【００４４】
次に、使用頻度による操作メニューの変更例を説明する。
図７は使用頻度にて変更されたメニューの一例を示したものである。既に図２を参照して説明したように、設定項目が変更されるとフラッシュメモリ１１に変更内容が記録され、その情報（操作履歴）を基に使用頻度をＭＰＵ８で判別し、その使用頻度を表示優先度順としてメニュー項目及び設定項目の配置を変更し、変更されたメニューがＬＣＤ１３に表示される。なお、図７の例では、メニュー項目７１，７２，７３，７４，７５，７６，７７，７８はそれぞれ、「カメラモード」，「ホワイトバランス」，「画質」，「ＥＶ」，「フォーカス」，「測光モード」，「ＩＳＯ」，「撮影モード」である。
【００４５】
図３に示す操作メニュー例を変更前、図７に示す操作メニュー例を変更後として説明する。例えば、図３のカメラモード２１での設定項目の使用頻度は「虫メガネ」が一番高く、続いて「プログラム」，「オート」、他は全く使用しない。また、メニュー項目２２，２３，２４，２６，２８はメニュー自体全く使用しない。また、ホワイトバランス２５での使用頻度は「オート」，「蛍光灯」の順で他は全く使用しない。また、画質２７の使用頻度は少ないものの使用されているメニューである。このような操作を好むユーザがカメラ１５を使用し続けると操作メニューが図７のように切替わり、操作性がよくユーザにフィットした物になる。つまり、図７のカメラモード７１の太線枠で囲まれた設定項目「虫めがね」，「プログラム」，「オート」、ホワイトバラン７２の「オート」，「蛍光灯」がよく使用する設定項目として上位に配置転換される。
【００４６】
次に、操作手順による操作メニューの予測例を説明する。
図８は操作予測メニューの一例を示したものである。フラッシュメモリ１１に記録された情報（操作履歴）を基に操作手順及び組み合わせをＭＰＵ８で判別し、判別結果に従い表示を変更すると予測される操作メニューがＬＣＤ１３に表示される。つまり、ＭＰＵ８が、特定の操作に関する一連のメニュー項目及び設定項目からなる操作手順をフラッシュメモリ１１に記憶しておき、該記憶しておいた特定の操作が選択された場合、ＭＰＵ８は、メニュー項目及び各メニュー項目に属する設定項目を、表示優先度順としてその操作手順に基づいてＬＣＤ１３に表示する。
【００４７】
図７に示す操作メニュー例を変更前、図８に示す操作メニュー例を変更後として説明する。例えば、図７において、カメラモード７１で「虫メガネ」を選択したときは、ホワイトバランス７２で「蛍光灯」が選択されることが多い場合について考える。図８のカメラモード７１で「虫メガネ」以外、ホワイトバランス８１で「蛍光灯」以外が選択されている状態からカメラモード７１で「虫メガネ」を選択した場合、ホワイトバランス８１が「蛍光灯」が選択された状態で選択項目（サブメニュー）として表示される。なお、図８の例では、ホワイトバランス８１の選択項目「蛍光灯」以外は、下スクロールボタン８１ａにより表示が隠されている。
【００４８】
続いて、使用時間による操作メニューの変更例を説明する。
図９は時間帯による操作メニュー変化の一例を示したものである。フラッシュメモリ１１に記録された情報（操作履歴）を基に使用時間及び設定内容をＭＰＵ８で判別し、判別結果に従い操作メニューが変化する。つまり、ＭＰＵ８が、カメラ１５の使用時間帯とそのとき使用したメニュー項目及び設定項目をフラッシュメモリ１１に記憶しておき、該記憶しておいた使用時間帯と同じ時間帯にカメラ１５が使用される場合、ＭＰＵ８は、メニュー項目及び各メニュー項目に属する設定項目を、表示優先度順としてその使用頻度に基づいて表示する
【００４９】
例えば、１５時にだけカメラモードをオートで使用することが多い場合、その時間近傍だけカメラモードの設定メニューがカメラモード７１からカメラモード７１ａに変化して、「オート」が最上位に配置された状態でＬＣＤ１３に表示される。
【００５０】
次に、お気に入りの操作メニューの表示例について説明する。
図１０（ａ）〜（ｄ）は使用頻度、時間帯などを基に作成されたお気に入りメニューの一例である。フラッシュメモリ１１に記録された情報（操作履歴）を基に使用頻度、使用時間、使用月日、設定内容をＭＰＵ８で判別し、メニュー項目に捕らわれない独自のお気に入り操作メニューが作成、表示される。同一メニュー項目から２つ以上の項目が抽出され、独自の操作メニューを作成する。
【００５１】
まず、ＭＰＵ８がフラッシュメモリ１１に記録された情報（操作履歴）に基づき、例えば上述したような、使用頻度、操作手順、使用時間などから、あるいはこれらの組み合わせから表示優先度を計算する。そして表示優先度の高いメニュー項目及び該メニュー項目に属する設定項目のみを集めたメニュー項目をお気に入りメニューとして作成し、このお気に入りメニューを操作メニューとしてＬＣＤ１３の表示画面に表示させる。
【００５２】
例えば、図７に示すような表示優先度が得られたとする。ここでは、カメラモード７１を「虫メガネ」，「オート」，「プログラム」の３種類、ホワイトバランス７２を「蛍光灯」と「オート」の２種類、ＩＳＯ感度７７を「４００」と「オート」の２種類という設定切り替えしか使用しないユーザのお気に入りメニューを作成すると、図１０（ａ）〜（ｄ）に示すようなお気に入りメニューが表示される。
【００５３】
図１０（ａ）〜（ｄ）に示すように、お気に入りメニューは、お気に入りメニューの表示部分（アイコン）１００を起点としてメニュー項目を表示優先度順に一方向に表示するとともに、お気に入りメニューを構成するメニュー項目に関し同一メニュー項目に複数の設定項目がある場合、当該メニュー項目の表示部分（アイコン）１０１を起点として各設定項目を前記メニュー項目の一方向と異なる方向に表示優先度順に表示する。すなわち、本例でいうと、アイコン１００を起点としてメニュー項目を縦方向に表示優先度順に並べ、同一メニュー項目に２つ以上の設定項目がある場合は当該メニュー項目のアイコン１０１を起点として設定項目をメニュー項目とは異なる方向、例えば横方向に表示優先度順に並べて表示する（例えば図１０（ａ）参照）。
【００５４】
図示しないメニューボタンを押す等することで、例えば図１０（ａ）に示すようなお気に入りメニューが即座にＬＣＤ１３に表示される。図示しない操作キー１２の上下ボタンでメニュー項目を選択し、左右ボタンで設定項目を選択するようになっている。例えば図１０（ａ）のカメラモード（虫めがね）の状態からカーソル１０１を右に移動させると、図１０（ｂ）のようにカメラモードの「オート」が選択される。次に、メニュー項目でカーソル１０１を上方に移動させると、ホワイトバランス（蛍光灯）が選択される。さらにカーソルを上方へ移動させるとＩＳＯ（４００）が選択される。このとき、同一メニュー項目に２つ以上の設定項目があると、その設定項目が当該メニュー項目の横に表示される。
【００５５】
お気に入りメニューは、例えばカメラ１５のメニューボタンを１度操作（操作メニュー呼び出し指令を入力）することで図１０のお気に入りメニューがＬＣＤ１３に表示され、更にメニューボタンを操作することで図７のような通常メニューを表示させる。表示順はＳＥＴＵＰにて変更したり、別途お気に入りメニューボタンを設けることで表示するなどの構成としてもよい。
【００５６】
このようにすることで、即座にユーザの操作感覚に適合した操作メニューの表示が可能になる。
【００５７】
数人で同一カメラ１５を使用する場合、ユーザ切り替えにてフラッシュメモリ１１の記録情報を切り分けたり、フラッシュメモリ１１へのアクセスを禁止することにより、第３者がカメラ１５を使用してもユーザの記録情報が変更されるのを防ぐこができる。
【００５８】
以上説明した構成によれば、本発明の表示装置及び表示方法が適用されたカメラ１５は、一様だった操作感覚をユーザの操作方法を記録することで機器一台ごとにカスタマイズすることができ、ユーザ好みの操作感覚を備えた操作メニューを提供することができる。
【００５９】
また、お気に入りメニューを作成することで、普段使用するメニュー項目をまとめることができるので、更に余分な操作、表示することがなくなり、とりわけ使用方法が限定されているユーザには抜群の操作性を提供できる。一つの表示画面に使用したい操作メニューがまとまるので、ページ送りのような煩わしい操作から開放される。
【００６０】
なお、上述した実施形態では本発明の表示装置をカメラに適用した例を説明したが、本発明はその他ビデオカメラ、携帯電話機、ナビゲーションシステム、オーディオプレーヤ等、表示装置を備えた種々の機器に適用することができる。
【００６１】
また、ナビゲーションシステムなどでは、入力に遠隔操作いわゆるリモコンを使用するようにしてもよい。
【図面の簡単な説明】
【００６２】
【図１】本発明の一実施形態に係る表示装置が適用されたデジタルスチルカメラのブロック構成例を示す図である。
【図２】本発明の一実施形態に係る設定情報記録処理のフローチャートである。
【図３】本発明の一実施形態に係るメニュー表示処理のフローチャートである。
【図４】本発明の一実施形態に係る操作メニュー例を示す図である。
【図５】本発明の一実施形態に係る操作メニューの表示例を示すである。
【図６】本発明の一実施形態に係る操作段階別の操作メニューの表示例を示す図である。
【図７】本発明の一実施形態に係る設定変更後の操作メニュー例を示す図である。
【図８】本発明の一実施形態に係る操作予測メニュー例を示す図である。
【図９】本発明の一実施形態に係る時間帯によるメニュー変化例を示す図である。
【図１０】本発明の一実施形態に係るお気に入りメニューの表示例を示す図である。
【図１１】従来のメニュー表示の一例を示す図である。
【符号の説明】
【００６３】
１…レンズ、２…ＣＣＤ、３…Ａ／Ｄ、４…信号処理部、５…エンコーダ／デコーダ、６…メモリコントローラ、７…フラッシュメモリ、８…ＭＰＵ、９…ＳＤＲＡＭ、１０…ＲＯＭ、１１…フラッシュメモリ、１２…操作キー、１３…ＬＣＤ、１５…カメラ、１００…お気に入りメニュー
【図１】
2007214690.tif 000003
【図２】
2007214690.tif 000004
【図３】
2007214690.tif 000005
【図４】
2007214690.tif 000006
【図５】
2007214690.tif 000007
【図６】
2007214690.tif 000008
【図７】
2007214690.tif 000009
【図８】
2007214690.tif 000010
【図９】
2007214690.tif 000011
【図１０】
2007214690.tif 000012
【図１１】
2007214690.tif 000013